(57)【要約】      （修正有）【課題】組み立て及び取り外し作業の手間を軽減し、これらの作業を容易にすることができる仮設足場用足場板を提供する。【解決手段】足場用建枠の水平丸材１０１間に配置される足場板本体２と、足場板両端に設けられ水平丸材１０１の上側から係止する下側が開口した係止フック３，４を備えた仮設足場用足場板である。係止フック３，４は、足場板本体２の一端側に足場板本体２に沿った方向に突出して配置される固定フック３と、足場板本体２の他端側に設けられた水平丸材１０１に沿った方向の回転軸まわりに回転可能に枢着され、足場板本体２に沿った方向に伸びる係止位置と上方に退避した退避位置との間で回動可能な可動フック４とを有し、可動フック４を係止位置に固定させる固定機構とを備える。【選択図】図３
2017066697.tif 000002
【特許請求の範囲】
【請求項１】
足場用建枠の水平丸材間に配置される足場板本体と、足場板両端に設けられ前記水平丸材の上側から係止する下側が開口した係止フックを備えた仮設足場用足場板において、
前記係止フックは、
前記足場板本体の一端側に前記足場板本体に沿った方向に突出して配置される固定フックと、前記足場板本体の他端側に、前記水平丸材に沿った方向の回転軸まわりに回転可能に枢着され、前記足場板本体に沿った方向に伸びる係止位置と上方に退避した退避位置との間で回動可能な可動フックとを有し、
前記可動フックを前記係止位置に固定させる固定機構とを備えることを特徴とする、仮設足場用足場板。
【請求項２】
前記可動フックは、前記水平丸材の上側から掴持する上側フックと前記水平丸材の下方に向けて伸びる係止片とが、前記水平丸材の外径に沿った形状に一体に構成され、
前記係止片は、前記可動フックが前記退避位置にあるときに、その先端が前記上側フックよりも前記足場板本体の外側へ位置するように構成されていることを特徴とする、請求項１に記載の仮設足場用足場板。
【請求項３】
前記前記可動フックは、前記回転軸が中間位置に設けられ前記足場板本体の両側面に枢着された連結脚を備え、
前記固定機構は、前記連結脚と前記足場板本体に、互いに係合する固定部材を有することを特徴とする、請求項１又は２に記載の仮設足場用足場板。
【請求項４】
前記係合部材は、前記足場板本体の側面に設けられた固定凹部と、前記連結脚の他端側に設けられ前記固定凹部に進退可能に配置された固定ピンで構成されていることを特徴とする、請求項３に記載の仮設足場用足場板。
【請求項５】
前記足場板本体は、足場板本体の外形をなすフレームと前記フレームの上面に固定された踏板部材で構成され、
前記固定機構は、前記連結脚の他端側同士を接続する接続部材に前記固定ピンが設けられ、前記フレームの内側面側が前記固定凹部となっていることを特徴とする、請求項４に記載の仮設足場用足場板。
【請求項６】
前記係止フックの開口は、前記係止フックの中心から前記足場板本体の外側下斜め向きに開口していることを特徴とする、請求項１から５のいずれか１つに記載の仮設足場用足場板。
【発明の詳細な説明】
【技術分野】
【０００１】
本発明は、例えば建築現場等で組み立てられる仮設足場において用いられる仮設足場用足場板に関し、特に、容易に組み立て作業を行なうことができる仮設足場用足場板に関する。
【背景技術】
【０００２】
従来、特許文献１（特開２００２−１６１６３５号公報）や特許文献２（特開２０１５−１４０６０４号公報）などに開示されているように、建築現場などで用いられる仮設足場は、支柱に水平丸材を構築し、この水平丸材に足場板を架設することによって組み立てられる。この足場板は、足場板本体の両端に係止フックを備えており、当該係止フックを水平丸材の上側から掴持させることによって係止される。
【０００３】
この係止フックは、足場板の脱落防止のために、水平丸材を上側から掴持するフック部と、当該フック部に対して進退可能に取り付けられた係止片とを備えている。そして、フック部を水平丸材に掴持させた後、フック部と係止片とが１８０度以上の円弧となるように係止片を引き出すことで係止フックが水平丸材から浮き上がることを防止し、足場板が下側から突き上げられた場合などでも足場板の脱落を防止している。
【０００４】
また、同様に係止フックの脱落を防止する技術として特許文献３（特開２００８−８０５２号公報）に、水平丸材に上側から引っ掛ける開口を備えた把持部と、把持部の開口の一部を閉塞する抜止部とを備え、水平方向に水平丸材から離接可能に抜止部をスライド可能に構成することで係止フックと水平丸材との脱着の切り替えが行なうことができるように構成されたものが開示されている。
【先行技術文献】
【特許文献】
【０００５】
【特許文献１】特開２００２−１６１６３５号公報
【特許文献２】特開２０１５−１４０６０４号公報
【特許文献３】特開２００８−８０５２号公報
【発明の概要】
【発明が解決しようとする課題】
【０００６】
しかし、上記の特許文献を含め架設足場用の足場板は、その構造上いずれも足場板本体に設けられている係止フックを水平丸材の上側から係止させるように構成されている。このため、足場板の水平丸材への取り付け時には足場板を係止させたい水平丸材よりも上方に持ち上げる作業が必要であった。
【０００７】
この取り付け作業は、通常、作業員が取り付け位置に隣接して設けられた足場板の上で作業を行なう、又は、取り付け位置の直下の足場板上で行われる。この組み立て作業において、隣接して設けられた足場板の上での足場板取り付け作業は、作業員の床面と同じ高さに足場板を取り付けることとなるため、隣接する足場板上でしゃがんで行う必要があることから手間が大きく、また、長尺物である足場板の一端を持って取り付け位置に移動させる作業は、作業員の負担が大きいことから、実質的に下側の足場板上に配置された補助作業員との２人体勢で作業をする場合があり、取り付け作業の効率が悪くなっていた。
【０００８】
一方、取り付け位置の直下の足場板上で取り付け作業は、取り付け対象の足場板を一度水平丸材よりも上に持ち上げ、その後、水平丸材に係止フックを取り付ける作業が必要となる。取り付け位置の水平丸材間の距離は、足場板のフック間距離よりも短いため、足場板を斜めにして持ち上げ、その後、視認しにくい位置にある水平丸材に係止フックを引っ掛ける作業が必要となる。このため、取り付け動作の手間負担が大きいという問題があった。
【０００９】
また、足場板の取り外しにおいては４箇所に設けられている係止片を引き戻して脱落可能な状態にした上で行なうことが必要となるが、特許文献１及び２の係止フックでは、取り外し時の振動などで係止片が下側に移動して係止位置に移動することもあり取り外しの作業が煩雑となっていた。
【００１０】
したがって、本発明が解決しようとする技術的課題は、組み立て及び取り外し作業の手間を軽減し、これらの作業を容易にすることができる仮設足場用足場板を提供することである。
【課題を解決するための手段】
【００１１】
本発明は、上記技術的課題を解決するために、以下の構成の仮設足場用足場板を提供する。
【００１２】
本発明の第１態様によれば、足場用建枠の水平丸材間に配置される足場板本体と、足場板両端に設けられ前記水平丸材の上側から係止する下側が開口した係止フックを備えた仮設足場用足場板において、
前記係止フックは、
前記足場板本体の一端側に前記足場板本体に沿った方向に突出して配置される固定フックと、前記足場板本体の他端側に、前記水平丸材に沿った方向の回転軸まわりに回転可能に枢着され、前記足場板本体に沿った方向に伸びる係止位置と上方に退避した退避位置との間で回動可能な可動フックとを有し、
前記可動フックを前記係止位置に固定させる固定機構とを備えることを特徴とする、仮設足場用足場板を提供する。
【００１３】
本発明の第２態様によれば、前記可動フックは、前記水平丸材の上側から掴持する上側フックと前記水平丸材の下方に向けて伸びる係止片とが、前記水平丸材の外径に沿った形状に一体に構成され、
前記係止片は、前記可動フックが前記退避位置にあるときに、その先端が前記上側フックよりも前記足場板本体の外側へ位置するように構成されていることを特徴とする、第１態様の仮設足場用足場板を提供する。
【００１４】
本発明の第３態様によれば、前記前記可動フックは、前記回転軸が中間位置に設けられ前記足場板本体の両側面に枢着された連結脚を備え、
前記固定機構は、前記連結脚と前記足場板本体に、互いに係合する固定部材を有することを特徴とする、第１又は第２態様の仮設足場用足場板を提供する。
【００１５】
本発明の第４態様によれば、前記係合部材は、前記足場板本体の側面に設けられた固定凹部と、前記連結脚の他端側に設けられ前記固定凹部に進退可能に配置された固定ピンで構成されていることを特徴とする、第３態様の仮設足場用足場板を提供する。
【００１６】
本発明の第５態様によれば、前記足場板本体は、足場板本体の外形をなすフレームと前記フレームの上面に固定された踏板部材で構成され、
前記固定機構は、前記連結脚の他端側同士を接続する接続部材に前記固定ピンが設けられ、前記フレームの内側面側が前記固定凹部となっていることを特徴とする、第４態様の仮設足場用足場板を提供する。
【００１７】
本発明の第６態様によれば、前記係止フックの開口は、前記係止フックの中心から前記足場板本体の外側下斜め向きに開口していることを特徴とする、第１から第５態様のいずれか１つの仮設足場用足場板を提供する。
【発明の効果】
【００１８】
本発明によれば、足場板本体の両端に設けられている係止フックが固定フックと可動フックとを備えているため、組み立て持に、可動フックを退避位置に移動させた状態で、一端側に設けられている固定フックを水平丸材に係止させ、その後、足場板の他端側を持ち上げることで、可動フックを水平丸材に係止させることができる。また、持ち上げ動作に伴い、可動フックが退避位置から係止位置に回動し、さらに係止位置で固定される。したがって、組み立て持に足場板全体を持ち上げる必要がなく、組み立て作業を容易にすることができる。
【００１９】
また、本発明の第２態様によれば、退避位置において係止片がより外側に出ているため、他端側の持ち上げ時に、水平丸材に係止片が当接し、他端側の持ち上げに伴い、可動フックが回動しやすくなる。よって、組み立て作業をより容易にすることができる。
ことができる。
【図面の簡単な説明】
【００２０】
【図１】本発明の仮設足場用足場板の概略構成を示す斜視図である。
【図２】図１の仮設足場用足場板を裏面側から見た概略構成を示す斜視図である。
【図３】図１の仮設足場用足場板を足場用建枠に係止させた状態を示す拡大斜視図である。
【図４】図１の仮設足場用足場板の固定フックの構成を模式的に示す部分拡大側面図である。
【図５】図１の仮設足場用足場板の係止位置にある可動フックの構成を模式的に示す部分拡大斜視図である。
【図６】図１の仮設足場用足場板の退避位置にある可動フックの構成を模式的に示す部分拡大斜視図である。
【図７】図１の仮設足場用足場板の可動フックが退避位置にあるときの固定機構の構成を模式的に示す部分拡大斜視図である。
【図８】図１の仮設足場用足場板の可動フックが係止位置にあるときの固定機構の構成を模式的に示す部分拡大斜視図である。
【図９】図１の仮設足場用足場板の取り付け工程を模式的に示す図である。
【図１０】図９に続く仮設足場用足場板の取り付け工程を模式的に示す図である。
【図１１】図１０に続く仮設足場用足場板の取り付け工程を模式的に示す図である。
【発明を実施するための形態】
【００２１】
以下、本発明の実施形態に係る仮設足場用足場板について、図面を参照しながら説明する。
【００２２】
図１は、本発明の仮設足場用足場板の概略構成を示す斜視図である。図２は、図１の仮設足場用足場板の裏面側からの斜視図である。図３は、図１の仮設足場用足場板を足場用建枠に係止させた状態を示す拡大斜視図である。図１に示す仮設足場用足場板１（以下、端に足場板と略記する場合がある。）は、足場板本体２と、足場板本体の両端にそれぞれ設けられた係止フックとして、固定フック３、可動フック４を備え、固定フック３、可動フック４をを足場用建枠１００のＸ方向に対向して配置される水平丸材１０１に係止させることによって、仮設足場の踏板部分を構成するための部材である。
【００２３】
足場用建枠１００は、図３に示すように、足場板１の長手方向（図示のＸ方向）と短手方向（図示のＹ方向）に関して、支柱１０２を所定間隔をあけて格子状に配設すると共に、Ｘ方向及びＹ方向に隣接する支柱間に水平丸材１０１を架設することにより構成される。なお、足場用建枠１００は、その型式や各部の連結構造等は任意であり、何ら限定されない。
【００２４】
足場板本体２は、図２に示すように、足場板１の外形をなすフレーム５とフレームの上面に沿って設けられる踏板部材６とを備える。フレーム５は所定の厚みを持って構成された断面コの字型の金属板を矩形に組み合わせて枠５ａ構成するとともに、中央部分にＸ軸方向に伸びる中間部材５ｂを備えている。足場板本体２のＸ方向寸法は、所定の寸法となるように決められている水平丸材１０１間のＸ方向の間隔に対応しており、この水平丸材１０１の間にがちょうど収まるように設計されている。一方、足場板本体２のＹ方向寸法は、水平丸材間のＹ方向の間隔に複数枚の足場板１をＹ方向に並べて配置できるように構成されていてもよい。
【００２５】
固定フック３は、図４に示すように、フック部３ａと連結脚３ｂとを備えており、連結脚３ｂ部分が足場板本体２のフレーム５に沿った方向となるように、足場板本体２の一端に締結部材（ナット）７で固定される。固定フック３は、フレーム５の枠５ａの内側面に固定されている。
【００２６】
フック部３ａは、上方から水平丸材１０１に掴持できるように下向きに開口して構成されており、連結脚３ｂから上方に円弧をなす上側フック８と、連結脚３ｂから下向きに上側フック８と連続した円弧を形成する係止片９とを備える。
【００２７】
上側フック８と係止片９は、連続して概ね１８０度程度の円弧を構成し、半径は水平丸材１０１の外形半径と略同じに構成されている。また、フック部３ａの開口１０は、円弧の中心からみて足場板本体２の外側下斜め向きに開口している。したがって、図４の矢印９０のように、足場板１の下方外側からは水平丸材１０１は開口１０を通ってフック部３ａに掴持される。一方、掴持された後は、水平丸材１０１に対して直角方向に力が加わったとしても、係止片９によって足場板１の脱落が防止される。
【００２８】
可動フック４は、図５に示すように、フック部４ａと連結脚４ｂとを備えており、連結脚４ｂの中間位置がフレーム５の端部から突出するように圧入部材（リベット）１１ａで固定された取り付け片１１に、回転支持部材（ナット）１２で枢着される。可動フック４は、フレーム５の側壁外側に設けられており、固定フックとＹ方向の取り付け位置を異ならせることで、Ｘ方向に連続して配置される足場板の固定フックとの干渉を防止する。
【００２９】
フック部４ａは、固定フックと同様の形状であり、連結脚４ａから上方に円弧をなす上側フック１３と、連結脚４ａから下向きに上側フック１３と連続した円弧を形成する係止片１４とを備え、外側下斜め向きに開口１５が設けられている。これにより、水平丸材１０１を掴持した後は、足場板１に水平丸材１０１に対して直角方向の力が加わったとしても、係止片１４によって脱落が防止される。
【００３０】
したがって、可動フック４及び固定フック３によって水平丸材１０１が掴持された後は、斜め上方に持ち上げないと当該フック３，４による係合は外れないように構成されることになる。すなわち、本実施形態の足場板１は、水平丸材１０１に対して直角方向、すなわち鉛直方向から取り付け及び取り外しを行なわず、斜め方向から足場板１を脱着することになる。そして、当該斜め方向からの脱着のために、上記の通り可動フック４が回動可能に構成されている。
【００３１】
可動フック４は、取り付け片１１への枢着に使用される回転支持部材１２を中心とし、水平丸材１０１に沿った方向の回転軸周りに回転可能となっている。可動フック４は、図５に示す連結脚４ｂが足場板本体２の延在方向を向いた係止位置と、連結脚４ｂが足場板本体２に対して略直角となる退避位置の間を可動域とする。退避位置にある可動フックの状態を図６に示す。
【００３２】
本実施形態においては、可動フック４は、係止位置にあるときに係止片１４が回転支持部材１２よりも水平位置の下側に伸びるように構成されている。この構成により、可動フック４は退避位置において、係止片１４が回転軸及び上側フック１３よりも足場板本体の外側へ位置するように構成される。
【００３３】
可動フック４は、図１乃至図３に示すように、足場板本体２のＹ方向両側に設けられており、これらのフックを連動して回転させるために、連結部材４ｃで一対の可動フックの連結脚４ｂが連結されている。連結部材４ｃは、可動フック４が係止位置（図５参照）にあるとき、足場板本体２の裏面側に配置されるように構成されている。
【００３４】
また、連結部材４ｃには、足場板本体２との固定を行うための固定機構１６として、固定ピン１７が設けられている。図７は、仮設足場用足場板の可動フックが退避位置にあるときの固定機構の構成を模式的に示す部分拡大斜視図である。図８は、仮設足場用足場板の可動フックが係止位置にあるときの固定機構の構成を模式的に示す部分拡大斜視図である。
【００３５】
固定ピン１７は、連結部材４ｃの踏板本体２の対向面４ｄ側に並設された２つの受け部１８により進退可能に支持されており、フレーム側方向位置にバネ部材などで付勢されている。固定ピン１７は、受け部１８よりフレーム５側に突出した固定ピン先端１７ａと、受け部１８よりフレーム５の中央側に位置する後端をＬ字状に折曲してなるツマミ１７ｂとを備える。
【００３６】
固定ピン１７は、可動フック４の回動に伴い、断面コの字型のフレーム５の枠５ａの下壁１９上方に位置した場合、枠５ａの下壁１９と側壁２０とで画定される凹部分２１に先端１７ａが係合することによって可動フック４を係止位置で固定する。なお、固定ピン１７は、退避位置から係止位置への可動フック４の回動に伴い、先端１７ａが枠５ａの下壁１９を越えて凹部分２１に移動であり、かつ係止位置から退避位置方向への可動フック４の回動を規制するラチェットなどの回転抑制機構として、固定ピン１７の先端１７ａが傾斜面に構成されている。また、固定機構１６を解除するためには、固定ピン１７のツマミ１７ｂを引っ張り、先端１７ａが枠５ａより離れる方向に移動させればよい。
【００３７】
次に、図９乃至図１１に従って、実施形態にかかる足場板１の動作を説明する。本実施形態にかかる足場板１は、図３に示す取り付け状態とするために、取り付け位置の直下にある床面上で作業員が作業を行う。作業員は、固定フック３側の端部が上方となるように足場板１を持ち上げ、斜め方向から固定フック３を水平丸材１０１に係止させる。上記図４に示すように、固定フック３のフック部３ａは外側下方が開口し、フック部３ａの中心に対し斜め部分に開口１０が設けられていることから、固定フック３側を持ち上げて斜め方向からフック部３ａを水平丸材１０１に移動させることにより、水平丸材１０１が開口１０を通過し、フック部３ａが水平丸材１０１を掴持することができる。このため、固定フックの開口１０は、取り付け時の足場板１の傾斜角度を考慮し、傾斜した足場板１の固定フック３を降下させたときに開口を通過できるような位置にしておくことが好ましい。
【００３８】
次いで、固定機構１６が解除され可動フック４が退避位置にある状態で、足場板１の他端側（可動フックが設けられている側）を持ち上げる。上記の通り固定フック３が水平丸材１０１に掴持されているため、固定フック３を支点として回転して他端側が持ち上げられる。図９に示すように、可動フック４が退避位置にあるとき、係止片１４の先端は、フック部４ａの上側フック１３の先端よりも外側へ突出し、水平丸材１０１に近い位置にある。このとき、係止片１４の先端と上側フック１３の先端の間Ｄに、水平丸材１０１の近位端１０１ａが位置するように足場板１を構成することにより、足場板１の持ち上げにより、図１０に示すように、係止片１４が水平丸材１０１に接触する。
【００３９】
図１０に示すように係止片１４が水平丸材１に接触した状態で、さらに足場板１を持ち上げると、可動フック４が回転軸である回転支持部材１２を中心として回転する。すなわち、回転軸である回転支持部材１２は、係止片１４よりも、水平丸材１０１側から離れた位置に存在するため、係止片１４が水平丸材１に接触した状態では、係止片１４が係合位置側に移動することになる。また、上記の通り、のフック部４ａは外側下方が開口し、フック部４ａの中心に対し斜め下の部分に開口１５が設けられていることから、斜め上側から上側フック１３が回転するように移動することで、水平丸材１０１が開口１５を通過し、上側フック１３に掴持される。
【００４０】
さらに、足場板１を持ち上げると、図１１に示すように、足場板１が略水平となった位置において、可動フック４が係止位置となる。上記の通り、可動フック４が退避位置から係止位置へ回動するときは、固定ピン１７が枠５ａの下壁１９を越えて凹部分２１に移動して可動フック４が係止位置で自動的に固定され、足場板１の足場用建枠１００への取り付けが完了する。なお、固定ピン１７による可動フック４の固定後は、固定ピンのツマミ１７ｂを矢印９１に示すように回転させ、枠５ａ内に収納するようにしてもよい。
【００４１】
また、足場板１の水平丸材１０１への取り付け後は、上記の通り、足場板１は斜め側に移動するときのみ開口１０，１５を通過可能に構成されているため、下から足場板１を突き上げる鉛直方向の外力が加わった場合でも、係止片９，１４によって容易に固定フック３及び可動フック４が水平丸材１０１から外れることがない。すなわち、足場板１の取り付け時と取り付け後の角度の差により、足場板１は水平丸材１０１からの脱落が防止される。
【００４２】
また、足場板１を足場用建て枠１００から取り外すときは、固定ピン１７のツマミ１７ｂを引いて、固定ピンを凹部分２１から外すことで、固定機構１６の係合が解除され、可動フック４が回動可能となることで、可動フック４が退避位置に移動し、水平丸材１０１からの係止が解除される。その後、足場板１を斜めに傾けた状態で固定フック３側を持ち上げることで、固定フック３の係合も外れ、足場板１の取り外しが完了する。
【００４３】
このように、本実施形態によれば、足場板本体の両端に固定フック３と可動フック４とを備えているため、組み立て持に、可動フック４を退避位置に移動させた状態で、一端側に設けられている固定フック３を水平丸材１０１に係止させ、その後、足場板１の他端側を持ち上げることで、可動フック４を水平丸材１０１に係止させることができる。また、持ち上げ動作に伴い、可動フック４が退避位置から係止位置に回動し、さらに固定機構１６により係止位置で固定される。したがって、組み立て持に足場板全体を持ち上げる必要がなく、組み立て作業を容易にすることができる。
【００４４】
また、固定フック３及び可動フック４は、連結脚３ａ，４ａに対して上方に円弧をなす上側フック８、１３と、連結脚３ａ，４ａから下向きに上側フック８，１３と連続した円弧を形成する係止片９，１４とを備えるため、当該円弧の中心から見て斜め外側方向位置に開口１０，１５が存在し、水平丸材１０１への組み付けは、斜め方向から行なうこととなる。一方、足場板１の取り付け後は、足場板１はほぼ水平に配置されるため、固定フック３及び可動フック４の係止片９，１４が水平丸材１０１の下側へ入り込むこととなる。このため、取り付け時に下側から鉛直方向の外力が加わった場合でも、係止片９，１４によって水平丸材１０１から固定フック３及び可動フック４が外れることがなく、使用時の安全性を確保することができる。
【００４５】
なお、本発明は上記実施形態に限定されるものではなく、その他種々の態様で実施可能である。例えば、固定機構は、上記実施形態に限定されるものではなく、係止位置に有る可動フック４を足場板本体２に固定でき、容易な操作で解除可能なものであれば、特にその構成は問わない。
【符号の説明】
【００４６】
１  仮設足場用足場板
２  足場板本体
３  固定フック
４  可動フック
３ａ，４ａ  フック部
３ｂ，４ｂ  連結脚
４ｃ  連結部材
４ｄ  連結部材の対向面
５  フレーム
５ａ  枠
５ｂ  中間部材
６  踏板部材
７  締結部材（ナット）
８，１３  上側フック
９，１４  係止片
１０，１５  開口
１１  取り付け片
１１ａ  圧入部材（リベット）
１２  回転支持部材（ナット）
１６  固定機構
１７  固定ピン
１７ａ  固定ピン先端
１７ｂ  ツマミ
１８  受け部
１９  下壁
２０  側壁
２１  凹部分
１００  足場用建枠
１０１  水平丸材
１０２  支柱
【図１】
2017066697.tif 000003
【図２】
2017066697.tif 000004
【図３】
2017066697.tif 000005
【図４】
2017066697.tif 000006
【図５】
2017066697.tif 000007
【図６】
2017066697.tif 000008
【図７】
2017066697.tif 000009
【図８】
2017066697.tif 000010
【図９】
2017066697.tif 000011
【図１０】
2017066697.tif 000012
【図１１】
2017066697.tif 000013